(57)【特許請求の範囲】
【請求項１】
カメラレンズ鏡筒先端部に装着されるフィルター枠本体は円環状のフィルター枠本体を略二分して入射光側を前筒枠としカメラレンズ鏡筒側を後筒枠として形成し、前記前筒枠には入射光側より前筒枠内径部にアタッチメント装着用の雌ネジ部を螺設し、また前記後筒枠の外周部にはカメラレンズ鏡筒への螺着用雄ネジ部が螺設され、該雌ネジ部と雄ネジ部からなるフィルター枠本体の中央部内部側にはフィルターレンズ保持環部が光軸側に突出して設けられ、該フィルターレンズ保持環部の先端部には環状のフィルターレンズ前縁枠が設けられ、該フィルターレンズ前縁枠の後部にてフィルターレンズを嵌着保持し、該嵌着保持されたフィルターレンズを後方の裏面にて挟持するカシメベロ部は前記フィルターレンズ前縁枠の後部よりＬ字型形状を有してフィルターレンズの光軸Ｃ方向に延びる環状体を形成し、該Ｌ字型形状のカシメベロ部先端部内径側には前記フィルターレンズの後端部に設けた面取り当接面に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設して前記カシメベロ部の加圧変形時にカシメベロ部の変形部がフィルターレンズの円周縁部やフィルターレンズ面に接触しないよう構成したことを特徴とするフィルター枠におけるフィルターレンズの保持機構。
【請求項２】
前記フィルターレンズ前縁枠の後部にて嵌着保持されるフィルターレンズの後端部には前記Ｌ字型形状のカシメベロ部先端部の内径側に設けられるカシメ当接部が当接するように少なくともフィルターレンズの光軸Ｃに対して４５度程度の傾きを有する面取り当接面を設けており、該フィルターレンズの面取り当接面に前記カシメベロ部のカシメ当接部がカシメ加工により当接してフィルターレンズを前記フィルターレンズ前縁枠とカシメベロ部のカシメ当接部間で挟持するよう構成したことを特徴とする請求項１に記載されたフィルター枠におけるフィルターレンズの保持機構。
【請求項３】
前記Ｌ字型形状のカシメベロ部先端部内径側にはフィルターレンズの後端部面取り当接面に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設し、該曲げ変形用円周溝の底部断面形状が半円形の形状を有しており前記カシメベロ部の加圧変形時にカシメベロ部の変形部がフィルターレンズの円周縁部やフィルターレンズ面に接触しないよう構成したことを特徴とする請求項１または請求項２のいずれかに記載されたフィルター枠におけるフィルターレンズの保持機構。
【請求項４】
前記Ｌ字型形状のカシメベロ部先端部内径側にはフィルターレンズの後端部面取り当接面に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設し、該曲げ変形用円周溝の底部断面形状が台形の形状を有しており前記カシメベロ部の加圧変形時にカシメベロ部の変形部がフィルターレンズの円周縁部やフィルターレンズ面に接触しないよう構成したことを特徴とする請求項１または請求項２のいずれかに記載されたフィルター枠におけるフィルターレンズの保持機構。
【請求項５】
前記Ｌ字型形状のカシメベロ部先端部内径側にはフィルターレンズの後端部面取り当接面に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設し、該曲げ変形用円周溝の底部断面形状がＶ字型の形状を有しており前記カシメベロ部の加圧変形時にカシメベロ部の変形部がフィルターレンズの円周縁部やフィルターレンズ面に接触しないよう構成したことを特徴とする請求項１または請求項２のいずれかに記載されたフィルター枠におけるフィルターレンズの保持機構。
【請求項６】
前記フィルターレンズ前縁枠の後部にてフィルターレンズを嵌着保持し、該嵌着保持されたフィルターレンズを後部にて挟持するカシメベロ部は前記フィルターレンズ前縁枠の後部より外観が円錐台型形状を有してフィルターレンズの後方へ延びる環状体を形成し、該円錐台型形状のカシメベロ部先端部内径側には前記フィルターレンズの後端部面取り当接面に当接してフィルターレンズを挟持するためのカシメ当接部を設け、該カシメ当接部の曲げ変形部位には前記フィルターレンズの円周縁部やフィルターレンズ面にカシメベロ部の内径部が接触しないように前記フィルターレンズの円周縁部方向に開口する曲げ変形用円周溝を刻設し、該曲げ変形用円周部の底部断面形状が半円形や台形或いはＶ字型の形状を有して前記カシメベロ部の加圧変形時にカシメベロ部の変形部がフィルターレンズの円周縁部やフィルターレンズ面に接触しないよう構成したことを特徴とする請求項１または請求項２のいずれかに記載されたフィルター枠におけるフィルターレンズの保持機構。
【請求項７】
前記フィルターレンズ本体のフィルター保持機構を構成する前筒枠、後筒枠、アタッチメント装着用の雌ネジ部、カメラレンズ鏡筒への螺着用雄ネジ部、フィルターレンズ保持環部、フィルターレンズ前縁部、カシメベロ部をアルミや真鍮から成る金属製の環状リングを切削加工して一つのフィルター枠を製作し、前記カシメベロ部の加工はカシメ用金型工具によりカシメ加工することを特徴とする請求項１乃至請求項６のいずれかに記載されたフィルター枠におけるフィルターレンズの保持機構。
【請求項８】
前記フィルターレンズ本体のフィルター保持機構を構成する前筒枠、後筒枠、アタッチメント装着用の雌ネジ部、カメラレンズ鏡筒への螺着用雄ネジ部、フィルターレンズ保持環部、フィルターレンズ前縁部、カシメベロ部を高分子化合物により成形して一つのフィルター枠として製作し、前記カシメベロ部の加工は熱カシメ用金型工具によりカシメ加工することを特徴とする請求項１乃至請求項６のいずれかに記載されたフィルター枠におけるフィルターレンズの保持機構。
【発明の詳細な説明】
【技術分野】
【０００１】
本発明は、フィルター枠におけるフィルターレンズの保持機構に関するものである。
【０００２】
本発明におけるフィルターレンズの保持機構は、フィルター枠の光軸方向の寸法、即ちフィルター枠の厚さを薄型に形成することができ、また、フィルター口径の決まったフィルターにおいてフィルター枠内に内蔵されるフィルターレンズの有効径を最大限大きく取ることの可能なフィルター枠におけるフィルターレンズの保持機構を提供して、望遠レンズや広角レンズの前面に装着してもケラレにくいフィルター枠を提供するものである。そして、本発明におけるフィルターレンズの保持機構は、フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供するものである。
【背景技術】
【０００３】
本発明に係るフィルター枠は、特にレンズ保護用のフィルター、円偏光フィルター、光量減少用フィルターや、特殊効果をもたらす光条効果用フィルター、被写体を柔らかく表現できるソフトフォーカス用フィルター等、利用価値の大きなデジタルカメラ用の各種フィルターレンズの保持機構に関するものである。
【０００４】
デジタル１眼レフカメラの普及に伴いファインダーや液晶画面でフィルターの使用効果をダイレクトに確認しながら撮影することや、種々の交換レンズを装着し、その交換レンズ鏡筒先端部に各種効果を有するフィルターを装着してカメラ撮影を楽しむことが可能になってきた。
【０００５】
然しながら、フィルターは、フィルター枠本体内に各種の効果を有する円盤状のフィルターレンズを内蔵、保持し、該フィルター枠本体の入射光側の内径には、その前縁部から後方に向けてフード等のアタッチメントや異なるフィルターの重ね合わせ用に雌ネジ部が螺設してある前筒枠部が形成されており、また、フィルター枠本体のカメラレンズ鏡筒側の外径にはカメラレンズ鏡筒内径部に設けられた装着用の雌ネジ部に螺着される雄ネジ部が螺設してある後筒枠部が形成されている。
【０００６】
従って、フィルター枠本体における光軸方向の寸法、即ちフィルター枠本体の厚さは、前記雌ネジ部が螺設された前筒枠部と、フィルターレンズの厚さ、並びにフィルターレンズ保持用の環状リングの厚さ、そしてカメラレンズ鏡筒側内径部に螺着される後筒枠部を加えたものから構成されており、従来のフィルター枠は、どうしてもフィルター枠の厚さが厚くなり、該フィルター枠はカメラレンズ鏡筒先端部に装着して用いるとケラレ現象を生じせしめてしまうと云う欠点がある。
【０００７】
また、フィルターは、決められたフィルター口径を有するフィルター枠本体内に円盤状のフィルターレンズを保持する機構が必要であり、該フィルターレンズの保持機構は、例えばフィルター保持用の押さえ環やリングスプリングを用いる方法、或いはフィルターレンズ後枠の一部をカシメることにより固定する方法等が知られている。そして、前記カシメによるフィルター保持機構においては、フィルター枠本体の入射光側内径部に環状に突出した環状縁部を設け、該環状縁部の後方にフィルターレンズを嵌着した後、該フィルターレンズの後方周縁部をカシメ用金型工具やカシメ用加熱工具にてカシメ加工することによりフィルターレンズをフィルター枠本体内に固着、保持している。
【０００８】
而して、上記カシメ加工によるフィルターレンズの固着方法では、フィルター枠本体の入射光側内径部に設けられる環状縁部がフィルターレンズの後部に設けられるカシメベロ部の形状加工や、カシメ加工を行う際のカシメ用金型工具の外径寸法やカシメ用加熱工具の外径寸法により制限されてしまうためにフィルターレンズの環状縁部が構成する有効径が縮小されて一般的に小さくなり、折角、フィルター枠本体を薄く製作してもフィルターレンズの有効径が小さくなることでケラレ現象を生じせしめてしまう欠点が発生する。
【０００９】
斯して、ケラレにくい薄型形状を有するフィルター枠を構成した一例が、特開２０１０−１１３０１６号（以下、特許文献１と称する）に開示されている。特許文献１に記載された従来例の説明では、フィルター枠への光学フィルター（フィルターレンズ）の固定方法について、止め輪（押さえ環）を用いた例を開示して説明し、該止め輪の幅寸法を短くすることには限界があり、更に、多種多様な光学フィルターの厚さ寸法を一律に薄くすることは困難で、このために、フィルター枠の寸法を短くすることは難しい問題としている。
【００１０】
そして、特許文献１の発明は、上記の課題を解決するために、カメラ用フィルターユニットは、筒状のフィルター枠と前記フィルター枠の内側に固定した筒状のフィルター保持リングと、前記フィルター保持リングの内側に保持されている光学フィルターと、前記光学フィルターの前後の移動を阻止している前側ストッパーおよび後側ストッパーとを有し、前記前側ストッパーは、前記フィルター保持リングの前端縁に形成されており、前記後側ストッパーは、前記フィルター保持リングの後端縁あるいは前記フィルター枠の内周面に形成されており、前記フィルター保持リングおよび前記光学フィルターは、前記フィルター枠の前後の端から露出しない状態で配置されているものである。
【００１１】
従って、特許文献１の発明において、カメラ用フィルータユニットは、フィルター枠の内側にフィルター保持リングが固定されており、このフィルター保持リングの内側に光学フィルターが保持されている。即ち、光学フィルターをフィルター枠へ取り付けるための部材であるフィルター保持リングが、光学フィルターの前後に配置されるのではなく、光学フィルターの外周部に配置されている。この結果、フィルター保持リングおよび光学フィルターをフィルター枠から露出しない状態で配置するときに、フィルター枠とフィルター保持リングと光学フィルターとは同心に配置されるので、フィルター枠の前後方向の寸法を短くすることができる、と云うものである。
【００１２】
然しながら、特許文献１と、この特許文献１に記載された従来例の違いは、従来例が光学フィルターの固定具として止め輪を用いているものに対して、特許文献１の発明は、フィルター保持リングを用いたものであり、光学フィルターは突起とカシメ用金属金型によるカシメ加工（カシメを用いない実施例のある）により前記フィルター保持リングに固定され、このフィルター保持リングがフィルター枠の内側に固定されているものである。
【００１３】
而して、フィルター枠内にフィルター保持リングにて固定される光学フィルターを円環状の突起（前側ストッパ）や円環上のカシメ部（後側ストッパ）にて固定する構造では、前記突起やカシメ部が形成する部材の厚さ分のみの寸法を短くするのみで、大幅なフィルター枠の薄型化は具現化されていない。
【００１４】
また、特許文献１の発明においては、光学フィルターを入射光側で保持するためにフィルター保持リングを使用しており、該フィルター保持リングが光軸側に突出してフィルターレンズの有効径を縮小していること、加えてフィルター保持リングの前端縁（本発明の実施例では前縁部と称する）で光軸側に突出している円環状突起がフィルターレンズの有効径の大きさを縮小しており、折角薄型フィルターを提供しても、決められたフィルター口径を有するフィルター枠においてフィルターレンズの有効径が縮小されることによるケラレ現象の発生要因についての言及はなされていない。
【００１５】
次に、本発明は、ケラレ現象を生じせしめない薄型のフィルター枠の形状、及びフィルター口径の決まったフィルター枠においてフィルターレンズの有効径を最大限大きく取ることのできるフィルター枠の形状を得るものであり、且つ、フィルターレンズをフィルター枠内に固着する際に、フィルターレンズには物理的な歪や加熱による歪を付加されない状態にてフィルターレンズをフィルター枠内に挟持可能なカシメ加工手段を提供するものであることから、この目的を具現化するためにフィルターレンズの後方に設けられるカシメベロ部の構成や形状が要件となるもので、この事に関連した従来の特開２００８−１９１４１２号公報（以下、特許文献２と称する）の発明を開示する。
【００１６】
即ち、特許文献２は、合成樹脂からなるレンズ鏡枠本体において、熱カシメによりレンズが固定される構成のレンズ鏡枠に関するものであり、レンズ鏡枠に固定されるレンズに歪を与えることなく鏡枠に固着することができるレンズ鏡枠を提供すると云うものである。
【００１７】
特許文献２の発明の構成は、光学部材（レンズ）を光軸方向に位置決めするために上記光学部材の一面と当接するため光軸方向に突出し、互いに間隔をあけて配置された三箇所の突起部と、上記突出部それぞれから光軸方向に離間して配置され、上記光学部材を挟むように熱カシメするための三箇所のかしめ部と、を有する合成樹脂からなるレンズ鏡枠であることが示されている。
【００１８】
而して、特許文献２の発明における熱カシメによるレンズ固定方法では、固定するために枠、及びレンズに対して荷重を掛けるために、特にレンズが薄肉である場合には、熱カシメ荷重付与により残留応力が残り、カシメ固定後の状態でもその変化が残ったままでレンズ枠に固定されるという問題がある。枠の保持精度確保のため、レンズ受け面を３箇所の凸面部で受ける保持構造を作用することが多いとされ、このような場合、レンズ面の変形が特に助長されてしまうことが多いと云う課題の解決を模索しているものと思われる。
【００１９】
然しながら、本発明を説明するにあたり、注目した特許文献２の構成は、〔図１〕及び〔図３〕に記載された凸状かしめ部（１ｃ）の断面形状であり、また、〔図４〕及び〔図６〕に記載されたカシメ用金型（３）の断面形状図である。特許文献２の〔図１〕において、鏡枠本体（１）は、合成樹脂からなる筒状部材であり、前方側に周方向に沿ってレンズ装着用段部（１ａ）が設けられ、該段部（１ａ）上の三箇所に光軸と直交する一平面を形成する周方向に間隙をあけて配される三つのレンズ光軸方向位置決め用突出部である円弧形状の凸平面部（１ｂ）が設けられる。さらに、レンズ（２）が隙間なく挿入可能な内径部（１ｄ）、および、該内径部に沿って凸平面部（１ｂ）から離間し。レンズ（２）の周辺の厚さに対応してかしめるための必要寸法だけ上方に延出し、周方向に間隙をあけて配される３箇所の円弧形状の凸状かしめ部（１ｃ）が設けられている。（特許文献２の段落番号〔００２３〕参照）
【００２０】
なお、凸平面部（１ｂ）に対して対応する凸状カシメ部（１ｃ）は、周方向同一位置にあって、周方向の大きさ（幅）も略同一とする。但し、凸平面部（１ｂ）の周方向の大きさ（幅）は、凸状かしめ部（１ｃ）の周方向大きさ（幅）と異ならせてもかまわない。なお、凸状かしめ部（１ｃ）の上方外側は、かしめを行うためにわずかなテーパー面となっている。（特許文献２の段落番号〔００２４〕）
【００２１】
レンズ鏡枠（１０）は、図４〜６に示すかしめ用金型（３）によって熱かしめされ、鏡枠本体（１）にレンズ（２）が固着される。そのかしめ用金型（３）は下面側に全周リング状の平面かしめ部（３ａ）と、その外周にテーパー部（３ｂ）とを有している。平面かしめ部（３ａ）は、光軸に対して直交するリング状の平面で形成されている（図６）。
かしめ用金型（３）によりレンズ鏡枠（１０）の熱かしめを行う場合、レンズ（２）を据え付け台（４）上にセットされた鏡枠本体（１）の内径部（１ｄ）に挿入し、レンズ（２）の下面（２ｂ）を凸平面部（１ｂ）上に当接させる。この状態で凸状かしめ部（１ｃ）の先端は、レンズ（２）の周囲表面よりかしめ量だけ突出している。加熱状態のかしめ用金型（３）を降ろして凸状かしめ部（１ｃ）の先端部分を平面かしめ部（３ａ）で加熱しながら爪状に押圧変形させてレンズ（２）を鏡枠本体１に固着する。この熱かしめ時、かしめ用金型（３）の平面かしめ部（３ａ）は、凸状かしめ部（１ｃ）以外に当接することがない。（特許文献２の段落番号〔００２５〕）
【００２２】
レンズ（２）が固着されたレンズ鏡枠（１０）において、図７〜９に示すようにレンズ２の外周（３）箇所が鏡枠本体１の凸平面部（１ｂ）と凸状かしめ部（１ｃ）の押圧熱変形された先端（爪部）とにより挟持される。従って、レンズ（２）には上記三箇所の挟持部分（凸平面部１ｂと凸状かしめ部１ｃ）以外での加圧力が作用せず、レンズ（２）のかしめによる歪みは極めて少ない。（特許文献２の段落番号〔００２６〕）
と云う点である。（以上、特許文献２の公報参照。カッコ内の符号は特許文献２に記載された符号を示す。）
【００２３】
斯くして、上記特許文献２の発明における欠点は、レンズ（２）の外周（３）箇所が鏡枠本体（１）の凸平面部（１ｂ）と凸状かしめ部（１ｃ）が押圧熱変形される際に、隙間なく内径部（１ｄ）に挿入されているレンズ（２）の周縁部のコーナー部が、かしめ加工の際にカシメベロ部に押圧されレンズ（２）にかしめ加工による歪を与えてしまう事である。また、このことはアルミや真鍮等の金属環状リングを切削加工して製作されるレンズ鏡枠本体（１）においても同様の現象がみられる他、上記特許文献２の如く合成樹脂からなるレンズ鏡枠本体（１）においては、熱かしめによりレンズ（２）が固定される構成のレンズ鏡枠であり、加熱状態のかしめ用金型（３）を降ろして平面かしめ部（３）にて加熱しながら押圧変形させる際に固着されるレンズ（２）には、凸平面部（１ｂ）、凸状かしめ部（１ｃ）、内径部（１）を介して熱が直接伝わりレンズ（２）に熱歪を与えてしまうと云う欠点がある。
【００２４】
次に、本発明の明細書における図５、及び図６（Ａ）、（Ｂ）は、アルミや真鍮等の環状リングを切削して製造する金属製のフィルター枠におけるフィルターレンズの保持機構の従来例を説明するものである。
【００２５】
図５は、フィルター枠本体とレンズ鏡筒の装着位置説明図であり、図６（Ａ）、（Ｂ）は、従来のフィルターレンズ保持機構における製造工程、並びに加工後の保持機構を説明するもので、図６（Ａ）、（Ｂ）は、図５のＡ−Ａ部分拡大断面図である。  
【００２６】
図５において、５１はフィルター枠本体、５２はフィルターレンズ、５３はデジタルカメラ本体、５４はカメラレンズ鏡筒を示しており、前記フィルター枠本体５１を中心にして、５５は入射光側、５６はカメラレンズ鏡筒側、Ｃはフィルター枠本体とカメラレンズ鏡筒の光軸を示している。
【００２７】
そして、前記フィルター枠本体５１に内蔵されるフィルターレンズ５２には、レンズ保護用のフィルター、円偏光フィルター、光量減少用フィルターや、特殊効果をもたらす光条効果用フィルター、被写体を柔らかく表現できるソフトフォーカス用フィルター等の各種フィルターレンズが用いられている。
【００２８】
図６（Ａ）、（Ｂ）において、５１はフィルター枠本体でアルミや真鍮から成る金属製の環状リングを切削加工にて製造される。また、５２はフィルターレンズ、ｔはフィルター枠本体５１の厚さ、５５はフィルター枠本体の入射光側、５６はフィルター枠本体のカメラレンズ鏡筒側を示しており、前記フィルター枠本体５１はフィルター枠本体を略二分して入射光側５５を前筒枠５７、カメラレンズ鏡筒側５６を後筒枠５８として一体的に形成されている。
【００２９】
フィルター枠本体１の前筒枠５７の内径部分５９には、フード等のアタッチメント装着用の雌ネジ部６０が螺設されており、該雌ネジ部６０のネジ基部には、逃げ溝６１が刻設されている。そして、逃げ溝６１は雌ネジ部６０に螺合するアタッチメントの雄ネジがゆとりを持って螺着されネジ基部に設けられたストッパー面６２に当接する構成で、前記アタッチメントの雄ネジが固くかみ合うことなく前筒枠５７の雌ネジ部６０に着脱自在に螺合操作可能である。
【００３０】
次に、フィルター枠本体５１の後筒枠５８の外周部６３には、カメラレンズ鏡筒５４への装着用雄ネジ部６４が螺設されており、該雄ネジ部６４のネジ基部には、逃げ溝６５が刻設されている。そして、この逃げ溝６５は、雄ネジ部６４が螺合するカメラレンズ鏡筒５４の雌ネジにゆとりを持って螺着されネジ基部に設けられたストッパー面６６に当接する構成を有しており、前記カメラレンズ鏡筒５４の先端部にフィルター枠本体５１の雄ネジ部６４が固くかみ合うことなく着脱自在に螺合操作可能である。
【００３１】
また、前記前筒枠５７と後筒枠５８の中間接合部内側６７には環状のフィルターレンズ保持環部６８が光軸Ｃ方向に突出した環状にて設けられ、該フィルターレンズ保持環部６８の先端縁部にはフィルターレンズ５２のフィルターレンズ前縁枠６９が設けられている。
【００３２】
而して、前記フィルターレンズ前縁枠６９の後方部（カメラレンズ鏡等側５６）には、図６（Ａ）に示す如くカシメベロ部７０が円環状切削溝７１を刻設することにより形成されており、該カシメベロ部７０は外周先端部にカシメ補助用のテーパー７２を有して光軸Ｃを中心に環状の筒形状に配置され、また、前記筒形状のカシメベロ部７０の内径部にはフィルターレンズ５２を嵌合可能なフィルターレンズ嵌合部７３が形成されている。
【００３３】
前記フィルターレンズ嵌合部７３の内径部に嵌合されたフィルターレンズ５２は、カシメベロ部７０のテーパー７２部を環状のカシメ用金型７４のテーパー部７５とカシメ部７６により加圧変形され、図６（Ｂ）に示す如くカシメベロ部７０のテーパー７２の先端部をカシメ加工され、フィルターレンズ５２は、前記フィルターレンズ前縁枠６９とカシメ加工されたカシメベロ部７０間にて挟持されるフィルターレンズの保持機構である。  
【００３４】
斯くして、図６（Ａ）、（Ｂ）に示す従来のフィルター枠におけるフィルターレンズの保持機構は、カシメ用金型７４によりカシメベロ部７０の先端部をカシメ加工する際に、カシメによる折り曲げ部分が直接フィルターレンズ５２の後周縁部に設けたコーナー部７７に接触しており、カシメ加工時においては前記コーナー部７７が支点となってしまいフィルターレンズ前縁部６９にもカシメ加工のための加圧変形力がかかることになり、フィルターレンズ前縁部６９やフィルターレンズ前縁部６９を形成するフィルターレンズ保持環部６８の厚さは、大きな厚さｔ２を有する丈夫な形状が必要とされている。
【００３５】
従って、フィルター枠本体５１の厚さｔを雌ネジ部６０と逃げ溝６１の最小機能（雌ネジの螺合とストッパー機能）厚ｔ１で構成された前筒枠５７、雄ネジ部６３と逃げ溝６５の最小機能（雄ネジの螺高とストッパー機能）厚ｔ３で構成された後筒枠５８に厚め構成されたフィルターレンズ保持環部６８の厚さｔ２を加えることは、全体として、フィルター枠本体５１の光軸方向の厚さｔを大きくしてしまいケラレが発生し易い要因を作ってしまう欠点が生じている。
【００３６】
また、従来のフィルター枠におけるフィルターレンズの保持機構は、カシメ用のカシメベロ部７０全体を製作するにあたり、円環状切削溝７１を刻設することにより形成されるものである。従って、円環状切削溝７１は光軸Ｃ方向に深く切削してカシメベロ部７０を形成し、且つ、円環状切削溝７１にカシメ用金型７４を挿入して加圧変形加工をするものであることから、該円環状切削溝７１はその内径寸法φ２を大きく設定して刻設する必要がある。そして、円環状切削溝７１の内径φ２を大きく、該円環状切削溝７１の幅Ｗを幅広に形成することが必要となり、前記フィルターレンズ保持環部５８の先端縁部に設けられるフィルターレンズ前縁枠５９の内径を光軸Ｃ方向に移行させることになり、フィルター口径φが決められたフィルター枠本体５１において、その有効径φ３を著しく小さくしてしまいケラレの発生要因を作ってしまう欠点を生じせしめている。
【００３７】
更に、図６（Ａ）、（Ｂ）に示す従来のフィルター枠におけるフィルターレンズの保持機構は、カシメ用金型７４によりカシメベロ部７０の先端部を９０度に折り曲げてカシメ加工するもので、その曲げ角度は大きくなる。また、従来例は、カシメによる折り曲げ部分が直接フィルターレンズ５２の後周縁部やコーナー部７７にも接触しており、カシメ加工時にはコーナー部７７が支点となってしまうので、前記フィルターレンズ５２にはカシメ加工のための加圧変形力が歪として加えることになり、その物理的な歪はフィルターレンズ５２の保持精度やフィルターレンズ面の変形をさせることになりフィルターレンズの保持機構に悪影響をおよぼしている。
【先行技術文献】
【特許文献】
【００３８】
【特許文献１】特開２０１０−１１３０１６号公報
【特許文献２】特開２００８−１９１４１２号公報
【発明の概要】
【発明が解決しようとする課題】
【００３９】
斯くして、本発明が解決しようとする課題は、フィルター枠の光軸方向の寸法、即ちフィルター枠の厚さを薄型に形成したデジタルカメラ用のフィルター枠を提供し、該フィルター枠は、望遠レンズや広角レンズに装着してもケラレにくいフィルター枠を提供するものである。
【００４０】
また、本発明におけるフィルターレンズの保持機構は、フィルター口径の決まったフィルターにおいて、フィルター枠内に内蔵されるフィルターレンズの有効径を最大限大きく取ることの可能なフィルターレンズの保持機構を提供して、望遠レンズや広角レンズの前面に装着してもケラレにくいフィルター枠を提供するものである。
【００４１】
更に、本発明におけるフィルターレンズの保持機構は、フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供するものである。
【課題を解決するための手段】
【００４２】
本発明において、カメラレンズ鏡筒先端部に装着されるフィルター枠本体は、円環状のフィルター枠本体を略二分して入射光側を前筒枠としカメラレンズ鏡筒側を後筒枠として形成し、前記前筒枠には入射光側より前筒枠内径部にアタッチメント装着用の雌ネジ部を螺設し、また前記後筒枠の外周部にはカメラレンズ鏡筒への螺着用雄ネジ部が螺設され、該雌ネジ部と雄ネジ部からなるフィルター枠本体の中央部内部側にはフィルターレンズ保持環部が光軸側に突出して設けられ、該フィルターレンズ保持環部の先端部には環状のフィルターレンズ前縁枠が設けられ、該フィルターレンズ前縁枠の後部嵌合枠にてフィルターレンズを嵌着保持し、該後部嵌合枠にて嵌着保持されたフィルターレンズを後方の裏面にて挟持するカシメベロ部は前記フィルターレンズ前縁枠の後部よりＬ字型形状を有してフィルターレンズの光軸Ｃ方向に延びる環状体を形成し、該Ｌ字型形状のカシメベロ部先端部内径側には前記フィルターレンズの後端部に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設して前記カシメベロ部の加圧変形時にカシメベロ部の変形部がフィルターレンズの円周縁部やフィルターレンズ面に接触しないよう構成したフィルター枠におけるフィルターレンズの保持機構である。
【００４３】
また、本発明において、前記フィルターレンズ前縁枠の後部にて嵌着保持されるフィルターレンズの後端部には、前記Ｌ字型形状のカシメベロ部先端部内径側に設けられるカシメ当接部が当接するように少なくともフィルターレンズの光軸Ｃに対して４５度程度の傾きを有する面取り当接面を設けており、該フィルターレンズの面取り当接面に前記カシメベロ部のカシメ当接部がカシメ加工により当接してフィルターレンズを前記フィルターレンズ前縁枠とカシメベロ部のカシメ当接部間で挟持するよう構成した。
【００４４】
そして、本発明における前記Ｌ字型形状のカシメベロ部先端部内径側には、フィルターレンズの後端部面取り部に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設し、該曲げ変形用円周溝の底部断面形状が半円形の形状を有しており前記カシメベロ部の加圧変形時にカシメベロ部の変形部がフィルターレンズの円周縁部やフィルターレンズ面に接触しないよう構成されている。
【００４５】
また、本発明における前記Ｌ字型形状のカシメベロ部先端部内径側には、フィルターレンズの後端部面取り部に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設し、該曲げ変形用円周溝の底部断面形状が台形の形状を有しており前記カシメベロ部の加圧変形時にカシメベロ部の変形部がフィルターレンズの円周縁部やフィルターレンズ面に接触しないよう構成されている。
【００４６】
更に本発明における前記Ｌ字型形状のカシメベロ部先端部内径側には、フィルターレンズの後端部面取り部に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設し、該曲げ変形用円周溝の底部断面形状がＶ字型の形状を有しており前記カシメベロ部の加圧変形時にカシメベロ部の変形部がフィルターレンズの円周縁部やフィルターレンズ面に接触しないよう構成されている。
【００４７】
更にまた、本発明は、フィルターレンズ前縁枠の後部にてフィルターレンズを嵌着保持し、該嵌着保持されたフィルターレンズを後部にて挟持するカシメベロ部は前記フィルターレンズ前縁枠の後部より外観が円錐台型形状を有してフィルターレンズの後方へ延びる環状体を形成し、該円錐台型形状のカシメベロ部先端部内径側には前記フィルターレンズの後端部面取り当接部に当接してフィルターレンズを挟持するためのカシメ当接部を設け、該カシメ当接部の曲げ変形部位には前記フィルターレンズの円周縁部にカシメベロ部の内径部が接触しないように前記フィルターレンズの円周縁部方向に開口する曲げ変形用円周溝を刻設し、該曲げ変形用円周部の底部段面形状が半円形や台形或いはＶ字型の形状を有して前記カシメベロ部の加圧変形時にカシメベロ部の変形部がフィルターレンズの円周縁部やフィルターレンズ面に接触しないよう構成したフィルター枠におけるフィルターレンズの保持機構を提供するものである。
【００４８】
そして、本発明は、前記フィルターレンズ本体のフィルター保持機構を構成する前筒枠、後筒枠、アタッチメント装着用の雌ネジ部、カメラレンズ鏡筒への螺着用雄ネジ部、フィルターレンズ保持環部、フィルターレンズ前縁部、カシメベロ部をアルミ及び真鍮から成る金属製環状リングを切削加工して一つのフィルター枠を製作し、前記カシメベロ部の加工はカシメ用金型工具によりカシメ加工するフィルター枠におけるフィルターレンズの保持機構でもある。
【００４９】
また、本発明は、前記フィルターレンズ本体のフィルター保持機構を構成する前筒枠、後筒枠、アタッチメント装着用の雌ネジ部、カメラレンズ鏡筒への螺着用雄ネジ部、フィルターレンズ保持環部、フィルターレンズ前縁部、カシメベロ部を高分子化合物により一つのフィルター枠に成形して製作し、前記カシメベロ部の加工は熱カシメ用金型工具によりカシメ加工するフィルター枠におけるフィルターレンズの保持機構をも提供する。
【発明の効果】
【００５０】
斯くして、本発明は、フィルター枠の光軸方向の寸法、即ちフィルター枠の厚さを薄型に形成したデジタルカメラ用のフィルター枠を提供し、該フィルター枠は、望遠レンズや広角レンズに装着してもケラレにくいフィルター枠を提供可能にした。
【００５１】
また、本発明におけるフィルターレンズの保持機構は、フィルター口径の決まったフィルターにおいて、フィルター枠内に内蔵されるフィルターレンズの有効径を最大限大きく取ることの可能なフィルターレンズの保持機構を提供して、望遠レンズや広角レンズの前面に装着してもケラレにくいフィルター枠を提供可能にした。
【００５２】
更に、本発明におけるフィルターレンズの保持機構は、フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供可能にし、フィルターレンズ２の保持精度の向上やフィルターレンズ面に変形を与えないフィルターレンズの保持機構を提供することができる。
【００５３】
そして、本発明おいては、カメラレンズ鏡筒先端部に装着されるフィルター枠を薄型に製作することができるので、フィルターの重量を軽量化して、オートフォーカス用モーターの負担を軽減することが可能なフィルターを提供することができる。
【００５４】
更に、本発明は、部品数をフィルター本体の部品とフィルターレンズの組み合わせと云ったように極端に軽減することができ、コストダウンと組立効率の向上をはかることができた。
【図面の簡単な説明】
【００５５】
【図１】本発明の実施例１を説明するフィルター枠本体を示す要部縦断面図。
【図２】（Ａ）図１のＡ−Ａ部分拡大断面図。（Ｂ）図１（Ａ）の拡大断面図でカシメ加工完了状態を示す説明図。
【図３】（Ａ）本発明の他の実施例１を説明する部分拡大縦断面図。（Ｂ）本発明の他の実施例２を説明する部分拡大縦断面図。（Ｃ）本発明の他の実施例３を説明する部分拡大縦断面図。
【図４】（Ａ）本発明の実施例２を説明する部分拡大縦断面図。（Ｂ）図４（Ａ）の拡大断面図でカシメ加工完了状態を示す説明図。
【図５】本発明に係る従来例を説明するフィルター枠本体とレンズ鏡筒の装着位置説明図。
【図６】（Ａ）本発明に係る従来例説明図で図５のＡ−Ａ部分拡大断面図。       （Ｂ）従来例説明図で図６（Ａ）のカシメ加工完了状態を示す説明図。
【発明を実施するための形態】
【００５６】
本発明におけるフィルターレンズの保持機構は、フィルター枠の光軸方向の寸法、即ちフィルター枠の厚さを薄型に形成することができ、また、フィルター口径の決まったフィルターにおいてフィルター枠内に内蔵されるフィルターレンズの有効径を最大限大きく取ることの可能なフィルター枠におけるフィルターレンズの保持機構を提供して、望遠レンズや広角レンズの前面に装着してもケラレにくいフィルター枠を提供するものである。そして、本発明におけるフィルターレンズの保持機構は、フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供するものである。
【００５７】
本発明に係るフィルター枠は、特にレンズ保護用のフィルター、円偏光フィルター、光量減少用フィルターや、特殊効果をもたらす光条効果用フィルター、被写体を柔らかく表現できるソフトフォーカス用フィルター等、利用価値の大きなデジタルカメラ用の各種フィルターレンズの保持機構に関するものである。
【００５８】
デジタル１眼レフカメラの普及に伴いファインダーや液晶画面でフィルターの使用効果をダイレクトに確認しながら撮影することや、種々の交換レンズを装着し、その交換レンズ鏡筒先端部に各種効果を有するフィルターを装着してカメラ撮影を楽しむことが可能になってきた。
【００５９】
然しながら、フィルターは、フィルター枠本体内に各種の効果を有する円盤状のフィルターレンズを内蔵、保持し、該フィルター枠本体の入射光側の内径には、その前縁部から後方に向けてフード等のアタッチメントや異なるフィルターの重ね合わせ用に雌ネジ部が螺設してある前筒枠部が形成されており、また、フィルター枠本体のカメラレンズ鏡筒側の外径にはカメラレンズ鏡筒内径部に設けられた装着用の雌ネジ部に螺着される雄ネジ部が螺設してある後筒枠部が形成されている。
【００６０】
従って、フィルター枠本体における光軸方向の寸法、即ちフィルター枠本体の厚さは、前記雌ネジ部が螺設された前筒枠部と、フィルターレンズの厚さ、並びにフィルターレンズ保持用の環状リングの厚さ、そしてカメラレンズ鏡筒側内径部に螺着される後筒枠部を加えたものから構成されており、従来のフィルター枠は、どうしてもフィルター枠の厚さが厚くなり、該フィルター枠はカメラレンズ鏡筒先端部に装着して用いるとケラレ現象を生じせしめてしまうと云う欠点がある。
【００６１】
また、フィルターは、決められたフィルター口径を有するフィルター枠本体内に円盤状のフィルターレンズを保持する機構が必要であり、該フィルターレンズの保持機構は、例えばフィルター保持用の押さえ環やリングスプリングを用いる方法、或いはフィルターレンズ後枠の一部をカシメることにより固定する方法等が知られている。そして、前記カシメによるフィルター保持機構においては、フィルター枠本体の入射光側内径部に環状に突出した環状縁部を設け、該環状縁部の後方にフィルターレンズを嵌着した後、該フィルターレンズの後方周縁部をカシメ用金型工具やカシメ用加熱工具にてカシメ加工することによりフィルターレンズをフィルター枠本体内に固着、保持している。
【００６２】
而して、上記カシメ加工によるフィルターレンズの固着方法では、フィルター枠本体の入射光側内径部に設けられる環状縁部がフィルターレンズの後部に設けられるカシメベロ部の形状加工や、カシメ加工を行う際のカシメ用金型工具の外径寸法やカシメ用加熱工具の外径寸法により制限されてしまうためにフィルターレンズの環状縁部が構成する有効径が縮小されて一般的に小さくなり、折角、フィルター枠本体を薄く製作してもフィルターレンズの有効径が小さくなることでケラレ現象を生じせしめてしまう欠点が発生する。
【００６３】
更に、従来のフィルター枠におけるフィルターレンズの保持機構は、カシメ用金型によりカシメベロ部の先端部を折り曲げてカシメ加工する際に、カシメによる折り曲げ部分が直接フィルターレンズの周縁部に接触しており、該フィルターレンズの周縁部におけるコーナー部が支点となりカシメ加工においては、前記フィルターレンズにカシメ加工のための加圧変形力が歪として加えることになり、その物理的な歪はフィルターレンズの保持精度やフィルターレンズ面の変形をさせることになりフィルターレンズの保持機構に悪影響をおよぼしている。
【００６４】
斯くして、本発明は、従来のカシメ加工による欠点を解消するもので、上述したカシメ加工によるフィルターの製造方法は、アルミや真鍮等の金属製環状リングを切削加工にてフィルター枠本体を製作し、フィルターレンズを物理的なカシメ加工にて嵌着して製作する場合と、高分子化合物からなる熱可塑性樹脂や繊維強化プラスチックスなどの複合樹脂を成形加工してリング形状のフィルター枠本体を製作し、フィルターレンズを熱カシメ加工により嵌着して製作する場合に採用されて大きな効果を発揮することができる。
【００６５】
斯くして、本発明において、カメラレンズ鏡筒先端部に装着されるフィルター枠本体は、円環状のフィルター枠本体を略二分して入射光側を前筒枠としカメラレンズ鏡筒側を後筒枠として形成し、前記前筒枠には入射光側より前筒枠内径部にアタッチメント装着用の雌ネジ部を螺設し、また前記後筒枠の外周部にはカメラレンズ鏡筒への螺着用雄ネジ部が螺設され、該雌ネジ部と雄ネジ部からなるフィルター枠本体の中央部内部側にはフィルターレンズ保持環部が光軸側に突出して設けられ、該フィルターレンズ保持環部の先端部には環状のフィルターレンズ前縁枠が設けられ、該フィルターレンズ前縁枠の後部嵌合枠にてフィルターレンズを嵌着保持し、該後部嵌合枠にて嵌着保持されたフィルターレンズを後方の裏面にて挟持するカシメベロ部は前記フィルターレンズ前縁枠の後部よりＬ字型形状を有してフィルターレンズの光軸Ｃ方向に延びる環状体を形成し、該Ｌ字型形状のカシメベロ部先端部内径側には前記フィルターレンズの後端部に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設して前記カシメベロ部の加圧変形時にカシメベロ部の変形部がフィルターレンズの円周縁部やフィルターレンズ面に接触しないよう構成することが好ましい。
【００６６】
また、本発明において、前記フィルターレンズ前縁枠の後部にて嵌着保持されるフィルターレンズの後端部には、前記Ｌ字型形状のカシメベロ部先端部内径側に設けられるカシメ当接部が当接するように少なくともフィルターレンズの光軸Ｃに対して４５度程度の傾きを有する面取り当接面を設けており、該フィルターレンズの面取り当接面に前記カシメベロ部のカシメ当接部がカシメ加工により当接してフィルターレンズを前記フィルターレンズ前縁枠とカシメベロ部のカシメ当接部間で挟持するよう構成することが好ましい。
【００６７】
そして、本発明における前記Ｌ字型形状のカシメベロ部先端部内径側には、フィルターレンズの後端部面取り部に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設し、該曲げ変形用円周溝の底部断面形状が半円形の形状を有しており前記カシメベロ部の加圧変形時にカシメベロ部の変形部がフィルターレンズの円周縁部やフィルターレンズ面に接触しないよう構成することが好ましい。
【００６８】
また、本発明における前記Ｌ字型形状のカシメベロ部先端部内径側には、フィルターレンズの後端部面取り部に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設し、該曲げ変形用円周溝の底部断面形状が台形の形状を有しており前記カシメベロ部の加圧変形時にカシメベロ部の変形部がフィルターレンズの円周縁部やフィルターレンズ面に接触しないよう構成することが好ましい。
【００６９】
更に本発明における前記Ｌ字型形状のカシメベロ部先端部内径側には、フィルターレンズの後端部面取り部に当接してフィルターレンズを挟持するためのカシメ当接部を設け、該カシメ当接部の曲げ変形部位には前記フィルターレンズの円周縁部にカシメベロ部の内径部が接触しないように前記フィルルターレンズの円周縁部方向に開口する曲げ変形用円周溝を刻設し、該曲げ変形用円周溝の底部断面形状がＶ字型の形状を有しており前記カシメベロ部の加圧変形時にカシメベロ部の変形部がフィルターレンズの円周縁部やフィルターレンズ面に接触しないよう構成されている。
【００７０】
更にまた、本発明は、フィルターレンズ前縁枠の後部にてフィルターレンズを嵌着保持し、該嵌着保持されたフィルターレンズを後部にて挟持するカシメベロ部は前記フィルターレンズ前縁枠の後部より外観が円錐台型形状を有してフィルターレンズの後方へ延びる環状体を形成し、該円錐台型形状のカシメベロ部先端部内径側には前記フィルターレンズの後端部面取り当接部に当接してフィルターレンズを挟持するためのカシメ当接部を設け、該カシメ当接部の曲げ変形部位には前記フィルターレンズの円周縁部にカシメベロ部の内径部が接触しないように前記フィルターレンズの円周縁部方向に開口する曲げ変形用円周溝を刻設し、該曲げ変形用円周部の底部段面形状が半円形や台形或いはＶ字型の形状を有して前記カシメベロ部の加圧変形時にカシメベロ部の変形部がフィルターレンズの円周縁部やフィルターレンズ面に接触しないよう構成することが好ましい。
【００７１】
そして、本発明は、前記フィルターレンズ本体のフィルター保持機構を構成する前筒枠、後筒枠、アタッチメント装着用の雌ネジ部、カメラレンズ鏡筒への螺着用雄ネジ部、フィルターレンズ保持環部、フィルターレンズ前縁部、カシメベロ部をアルミ及び真鍮から成る金属製環状リングを切削加工して一つのフィルター枠を製作し、前記カシメベロ部の加工はカシメ用金型工具によりカシメ加工することが好ましい。
【００７２】
また、本発明は、前記フィルターレンズ本体のフィルター保持機構を構成する前筒枠、後筒枠、アタッチメント装着用の雌ネジ部、カメラレンズ鏡筒への螺着用雄ネジ部、フィルターレンズ保持環部、フィルターレンズ前縁部、カシメベロ部を高分子化合物により一つのフィルター枠として成形して製作し、前記カシメベロ部の加工は熱カシメ用金型工具によりカシメ加工することがこのましい。
【００７３】
斯くして、本発明は、フィルター枠の光軸方向の寸法、即ちフィルター枠の厚さを薄型に形成したデジタルカメラ用のフィルター枠を提供し、該フィルター枠は、望遠レンズや広角レンズに装着してもケラレにくいフィルター枠を提供可能にした。
【００７４】
また、本発明におけるフィルターレンズの保持機構は、フィルター口径の決まったフィルターにおいて、フィルター枠内に内蔵されるフィルターレンズの有効径を最大限大きく取ることの可能なフィルターレンズの保持機構を提供して、望遠レンズや広角レンズの前面に装着してもケラレにくいフィルター枠を提供可能にした。
【００７５】
更に、本発明におけるフィルターレンズの保持機構は、フィルターレンズをフィルター枠内に内蔵、保持する際の固着時において、当該フィルターレンズには、物理的な歪や加熱による歪を付加しない状態にてフィルター枠内に各種のフィルターレンズを保持可能なカシメ加工手段を提供可能にし、フィルターレンズ２の保持精度の向上やフィルターレンズ面に変形を与えないフィルターレンズの保持機構を提供することが可能である。
【００７６】
そして、本発明おいては、カメラレンズ鏡筒先端部に装着されるフィルター枠を薄型に製作することができるので、フィルターの重量を軽量化して、オートフォーカス用モーターの負担を軽減することが可能なフィルターを提供することができる。
【００７７】
更に、本発明は、部品数をフィルター本体の部品とフィルターレンズの組み合わせと云ったように極端に軽減することができ、コストダウンと組立効率の向上をはかることができた。
【実施例１】
【００７８】
図１は、本発明の実施例１を説明するフィルター枠の要部断面図であり、該フィルター枠はデジタルカメラのレンズ鏡筒前面に装着して使用される。そして、図２（Ａ）は、図１のＡ−Ａ部分拡大断面図、図２（Ｂ）は、図２（Ａ）の拡大断面図でカシメ加工完了状態を示す説明図である。
【００７９】
図１において、１はフィルター枠本体、２はフィルターレンズを示しており、前記フィルター枠本体１を中心にして、３は入射光側、４はカメラレンズ鏡筒側、Ｃはフィルター枠本体の光軸を示している。尚、図１において、ｔはフィルター枠本体の厚さ、φ１はフィルター口径、φ３はフィルターレンズの有効径を示している。
【００８０】
そして、前記フィルター枠本体１に内蔵されるフィルターレンズ２には、レンズ保護用のフィルター、円偏光フィルター、光量減少用フィルターや、特殊効果をもたらす光条効果用フィルター、被写体を柔らかく表現できるソフトフォーカス用フィルター等の各種フィルターレンズが用いられている。
【００８１】
而して、実施例１はレンズ鏡筒の前面に装着されるフィルター枠本体１の光軸方向Ｃの寸法、即ちフィルター枠本体１の厚さｔを薄型に形成することができ、また、フィルター口径φ１の決まったフィルターにおいてフィルター枠本体１内に内蔵されるフィルターレンズの有効径φ３を最大限大きく取ることの可能なフィルター枠本体１におけるフィルターレンズ２の保持機構を提供して、望遠レンズや広角レンズの前面に装着してもケラレにくいフィルター枠本体１を提供するものである。また、本発明におけるフィルターレンズ２の保持機構は、フィルターレンズ２をフィルター枠本体１内に内蔵、保持する際の固着時において、当該フィルターレンズ２には、物理的な歪を付加しない状態にてフィルター枠本体１内に各種のフィルターレンズ２を保持可能なカシメ加工機構を提供するものである。
【００８２】
図２（Ａ）、（Ｂ）において、１はフィルター枠本体でアルミや真鍮による金属製の環状リングを切削加工にて製造される。また、２はフィルターレンズ、ｔはフィルター枠本体１の厚さ、３はフィルター枠本体の入射光側、４はフィルター枠本体のカメラレンズ鏡筒側を示しており、前記フィルター枠本体１はフィルター枠本体１を略二分して入射光側３を前筒枠５、カメラレンズ鏡筒側４を後筒枠６として一体的に形成されている。
【００８３】
フィルター枠本体１の前筒枠５の内径部７には、フード等のアタッチメント装着用の雌ネジ部８が螺設されており、該雌ネジ部８のネジ基部には、逃げ溝９が刻設されている。そして、逃げ溝９は雌ネジ部８に螺合するアタッチメントの雄ネジがゆとりを持って螺着されネジ基部に設けられたストッパー面１０に当接する構成で、前記アタッチメントの雄ネジが固くかみ合うことなく前筒枠５の雌ネジ部８に着脱自在に螺合操作可能である。
【００８４】
次に、フィルター枠本体１の後筒枠６の外周部１１には、カメラレンズ鏡筒への装着用雄ネジ部１２が螺設されており、該雄ネジ部１２のネジ基部には、逃げ溝１３が刻設されている。そして、この逃げ溝１３は、雄ネジ部１２が螺合するカメラレンズ鏡筒の雌ネジにゆとりを持って螺着されネジ基部に設けられたストッパー面１４に当接する構成を有しており、前記カメラレンズ鏡筒の先端部にフィルター枠本体１の雄ネジ部１２が固くかみ合うことなく着脱自在に螺合操作可能である。
【００８５】
また、前記前筒枠５と後筒枠６の中央部内部側１５には環状のフィルターレンズ保持環部１６が光軸Ｃ側に突出した環状にて設けられ、該フィルターレンズ保持環部１６の先端縁部にはフィルターレンズ２のフィルターレンズ前縁枠１７が設けられている。
【００８６】
而して、前記フィルターレンズ前縁枠１７の後方部には、図２（Ａ）に示す如くカシメベロ部１８が円環状切削溝１９と曲げ変形用円周溝２０を刻設することにより形成されており、該カシメベロ部１８はカメラレンズ鏡筒側に開口する円環状切削溝１９と前記フィルルターレンズ２の円周縁部方向に開口する曲げ変形用円周溝２０の刻設によりフィルターレンズ前縁枠１７の後部よりＬ字型形状を有してフィルターレンズ２の光軸Ｃ方向に延びる環状体を有するカシメベロ部１８を形成している。
【００８７】
また、前記フィルターレンズ前縁枠１７の後部にて嵌着保持されるフィルターレンズ２の後端部には前記Ｌ字型形状のカシメベロ部１８の先端部内径側に設けられるカシメ当接部２１が当接するように少なくともフィルターレンズ２の光軸Ｃに対して４５度程度の傾きを有する面取り当接面２２を設けており、該フィルターレンズの面取り当接面２２にカシメベロ部１８のカシメ当接部２１がカシメ加工により当接してフィルターレンズ２を前記フィルターレンズ前縁枠１７とカシメベロ部１８のカシメ当接部２１間で挟持するよう構成されている。
尚、前記カシメベロ部１８は環状のカシメ用金型２３のテーパー部２４とカシメ部２５により加圧変形されるもので、図（Ｂ）に示す如くカシメベロ部１８の当接部２１の先端部をフィルターレンズの面取り当接面２２に当接する物理的なカシメ加工が施される。
【００８８】
従って、実施例１は、カメラレンズ鏡筒先端部に装着されるフィルター枠本体１は円環状のフィルター枠本体を略二分して入射光側３を前筒枠５としカメラレンズ鏡筒側４を後筒枠６として形成し、前記前筒枠５には入射光側３より前筒枠５の内径部７にアタッチメント装着用の雌ネジ部８を螺設し、また前記後筒枠６の外周部１１にはカメラレンズ鏡筒への螺着用雄ネジ部が螺設され、該雌ネジ部と雄ネジ部１２からなるフィルター枠本体１の中央部内部側１５にはフィルターレンズ保持環部１６が光軸Ｃ側に突出して設けられ、該フィルターレンズ保持環部１６の先端部には環状のフィルターレンズ前縁枠１７が設けられ、該フィルターレンズ前縁枠１７の後部嵌合枠１７ａにてフィルターレンズ２を嵌着保持し、該後部嵌合枠１７ａに嵌着保持されたフィルターレンズ２を後方裏面にて挟持するカシメベロ部１８は前記フィルターレンズ前縁枠１７の後部よりＬ字型形状を有してフィルターレンズ２の光軸Ｃ方向に延びる環状体を形成し、該Ｌ字型形状のカシメベロ部１８の先端部内径側には前記フィルターレンズ２の後端部に当接してフィルターレンズ２を挟持するためのカシメ当接部２１を設け、該カシメ当接部２１の曲げ変形部位には前記フィルターレンズ２の円周縁部にカシメベロ部１８の内径部が接触しないように前記フィルルターレンズ２の円周縁部方向に開口する曲げ変形用円周溝２０を刻設して前記カシメベロ部１８の加圧変形時にカシメベロ部１８の変形部がフィルターレンズ２の円周縁部やフィルターレンズ面に接触しないよう構成したフィルター枠におけるフィルターレンズの保持機構である。
【００８９】
斯くして、図２（Ａ）、（Ｂ）に示す実施例１のフィルター枠におけるフィルターレンズの保持機構は、カシメ用金型２３によりカシメベロ部１８の先端部をカシメ加工する際に、カシメによる折り曲げ部分が直接フィルターレンズ２の後周縁部等に接触しておらず、カシメ加工時においてはフィルターレンズ前縁枠１７にはカシメ加工のための加圧変形力がかかることがなくなり、フィルターレンズ前縁部１７やフィルターレンズ前縁部１７を形成するフィルターレンズ保持環部１６の厚さｔ２は、カシメ加工時に力がかかることがないので薄い形状にすることができる。
【００９０】
従って、フィルター枠本体１の厚さｔは、雌ネジ部８と逃げ溝９の最小機能で構成した前筒枠５の厚さｔ１と雄ネジ部１２と逃げ溝１３の最小機能で構成した後筒枠６の厚ｔ３に、従来よりも薄く製作可能なフィルターレンズ保持環部１６の厚さｔ２を加えることになり、全体として、フィルター枠本体１の光軸方向の厚さｔを最小限小さくすることができ、従来のフィルター枠に比較してケラレが発生し難いフィルターレンズの保持機構を提供することが可能になる。
【００９１】
また、従来のフィルター枠におけるフィルターレンズの保持機構は、カシメ用のカシメベロ部全体を製作するにあたり、円環状切削溝を刻設するものであり、該円環状切削溝は光軸Ｃ方向に深く切削してカシメベロ部を形成するもので、且つ、円環状切削溝はカシメ用金型を挿入して加圧変形加工をするもので、該円環状切削溝は切削加工時においてその円環状切削溝の内径φ２寸法及び円環状切削溝の幅Ｗを大きく設定して刻設する必要があったが、本発明におけるカシメベロ部１８の形状は、カメラレンズ鏡筒側に開口する円環状切削溝１９と前記フィルルターレンズ２の円周縁部方向に開口する曲げ変形用円周溝２０の刻設によりフィルターレンズ前縁枠１７の後部よりＬ字型形状を有してフィルターレンズ２の光軸Ｃ方向に延びる環状体を有するカシメベロ部１８を形成するものであり、前記円環状切削溝１９の深さを非常に浅く構成でき、また円環状切削溝１９の幅Ｗを小さく形成できるので、前記フィルターレンズ保持環部１６の先端縁部に設けられるフィルターレンズ前縁部１７の内径を大きくすることができ、フィルター口径φが決められたフィルター枠本体１において、そのフィルターレンズの有効径φ３を著しく大きくしてケラレが発生し難いフィルターレンズの保持機構を提供することが可能になる。
【００９２】
更に、図２（Ａ）、（Ｂ）に示す本発明のフィルター枠におけるフィルターレンズの保持機構は、カシメ用金型２３によりカシメベロ部１８の先端部を折り曲げてカシメ加工する際に、カシメによる折り曲げ部分は前記フィルルターレンズ２の円周縁部方向に開口する曲げ変形用円周溝２０により大きな空間を形成して直接フィルターレンズ２の後周縁部においてコーナー部等に接触していないことから、前記フィルターレンズ２にカシメ加工のための加圧変形力が歪としてフィルターレンズ２に与えることがなく、フィルターレンズ２の保持精度やフィルターレンズ面の変形をさせることのないフィルターレンズの保持機構を提供できる。
【００９３】
次に実施例１をより利用しやすいようにした具体例を図３（Ａ）、（Ｂ）、（Ｃ）により説明する。図３（Ａ）、（Ｂ）、（Ｃ）において、図２と同一符号は、同一構成要素を示しており、カメラレンズ鏡筒先端部に装着されるフィルター枠本体１は円環状のフィルター枠本体を略二分して入射光側３を前筒枠５としカメラレンズ鏡筒側４を後筒枠６として形成し、前記前筒枠５には入射光側３より前筒枠５内径部７にアタッチメント装着用の雌ネジ部８を螺設し、また前記後筒枠６の外周部１１にはカメラレンズ鏡筒への螺着用雄ネジ部１２が螺設され、該雌ネジ部８と雄ネジ部１２からなるフィルター枠本体１の中央部内部側１５にはフィルターレンズ保持環部１６が光軸Ｃ側に突出して設けられ、該フィルターレンズ保持環部１６の先端部には環状のフィルターレンズ前縁枠１７が設けられ、該フィルターレンズ前縁枠１７の後部嵌合枠１７ａにてフィルターレンズ２を嵌着保持し、該後部嵌合枠１７ａに嵌着保持されたフィルターレンズ２を後方の裏面にて挟持するカシメベロ部１８は前記フィルターレンズ前縁枠１７の後部よりＬ字型形状を有してフィルターレンズ２の光軸Ｃ方向に延びる環状体を形成し、該Ｌ字型形状のカシメベロ部１８の先端部内径側には前記フィルターレンズ２の後端部に当接してフィルターレンズ２を挟持するためのカシメ当接部２１を設け、該カシメ当接部の曲げ変形部位には前記フィルターレンズ２の円周縁部にカシメベロ部１８の内径部が接触しないように前記フィルルターレンズ２の円周縁部方向に開口する曲げ変形用円周溝２０を刻設して前記カシメベロ部１８の加圧変形時にカシメベロ部１８の変形部がフィルターレンズ２の円周縁部やフィルターレンズ面に接触しないよう構成したフィルター枠におけるフィルターレンズの保持機構である。
【００９４】
そして、具体例１は、図３（Ａ）に示すごとく、前記Ｌ字型形状のカシメベロ部１８の先端部内径側にはフィルターレンズ２の後端部面取り当接面２２に当接してフィルターレンズを挟持するためのカシメ当接部２１を設け、該カシメ当接部２１の曲げ変形部位には前記フィルターレンズ２の円周縁部にカシメベロ部の内径部が接触しないように前記フィルルターレンズ２の円周縁部方向に開口する曲げ変形用円周溝２０を刻設し、該曲げ変形用円周溝２０の底部断面形状が半円形形状の曲げ変形用円周溝底部２６を有しており、前記カシメベロ部１８の加圧変形時に想像線にて示す如くカシメベロ部１８の変形部がフィルターレンズ２の円周縁部やフィルターレンズ２面に接触しないよう構成したフィルター枠におけるフィルターレンズの保持機構を提供するものである。
【００９５】
また、具体例２は、図３（Ｂ）に示す如く、前記Ｌ字型形状のカシメベロ部１８の先端部内径側にはフィルターレンズ２の後端部面取り当接面２２に当接してフィルターレンズ２を挟持するためのカシメ当接部２１を設け、該カシメ当接部２１の曲げ変形部位には前記フィルターレンズ２の円周縁部にカシメベロ部１８の内径部が接触しないように前記フィルルターレンズ２の円周縁部方向に開口する曲げ変形用円周溝２０を刻設し、該曲げ変形用円周溝２０の底部断面形状が台形形状の曲げ変形用円周溝底部２７を有しており、前記カシメベロ部１８の加圧変形時に想像線にて示す如くカシメベロ部１８の変形部がフィルターレンズ２の円周縁部やフィルターレンズ面に接触しないよう構成したフィルター枠におけるフィルターレンズの保持機構を提供するものである。
【００９６】
また、具体例３は、図３（Ｃ）に示す如く、前記Ｌ字型形状のカシメベロ部１８の先端部内径側にはフィルターレンズ２の後端部面取り当接面２２に当接してフィルターレンズ２を挟持するためのカシメ当接部２１を設け、該カシメ当接部２１の曲げ変形部位には前記フィルターレンズ２の円周縁部にカシメベロ部１８の内径部が接触しないように前記フィルルターレンズ２の円周縁部方向に開口する曲げ変形用円周溝２０を刻設し、該曲げ変形用円周溝２０の底部断面形状がＶ字型形状の曲げ変形用円周溝底部２８を有しており、前記カシメベロ部１８の加圧変形時に想像線にて示す如くカシメベロ部１８の変形部がフィルターレンズ２の円周縁部やフィルターレンズ面に接触しないよう構成したフィルター枠におけるフィルターレンズの保持機構を提供するものである。
【実施例２】
【００９７】
図４（Ａ）、（Ｂ）は本発明の実施例２を説明するものであり、前記図２と同一符号は同一構成要素を示している。図４（Ａ）、（Ｂ）において、１はフィルター枠本体でアルミや真鍮による金属製の環状リングを切削加工にて製造される。また、２はフィルターレンズ、ｔはフィルター枠本体１の厚さ、３はフィルター枠本体の入射光側、４はフィルター枠本体のカメラレンズ鏡筒側を示しており、前記フィルター枠本体１はフィルター枠本体１を略二分して入射光側３を前筒枠５、カメラレンズ鏡筒側４を後筒枠６として一体的に形成されている。
【００９８】
フィルター枠本体１の前筒枠５の内径部７には、フード等のアタッチメント装着用の雌ネジ部８が螺設されており、該雌ネジ部８のネジ基部には、逃げ溝９が刻設されている。そして、逃げ溝９は雌ネジ部８に螺合するアタッチメントの雄ネジがゆとりを持って螺着されネジ基部に設けられたストッパー面１０に当接する構成で、前記アタッチメントの雄ネジが固くかみ合うことなく前筒枠５の雌ネジ部８に着脱自在に螺合操作可能である。
【００９９】
次に、フィルター枠本体１の後筒枠６の外周部１１には、カメラレンズ鏡筒への装着用雄ネジ部１２が螺設されており、該雄ネジ部１２のネジ基部には、逃げ溝１３が刻設されている。そして、この逃げ溝１３は、雄ネジ部１２が螺合するカメラレンズ鏡筒の雌ネジにゆとりを持って螺着されネジ基部に設けられたストッパー面１４に当接する構成を有しており、前記カメラレンズ鏡筒の先端部にフィルター枠本体１の雄ネジ部１２が固くかみ合うことなく着脱自在に螺合操作可能である。
【０１００】
また、前記前筒枠５と後筒枠６の中央部内部側１５には環状のフィルターレンズ保持環部１６が光軸Ｃ側に突出した環状にて設けられ、該フィルターレンズ保持環部１６の先端縁部にはフィルターレンズ２のフィルターレンズ前縁枠１７が設けられている。
【０１０１】
而して、前記フィルターレンズ前縁枠１７の後部嵌合枠１７ａには、フィルターレンズ２を嵌着保持しており、該後部嵌合枠１７ａの後方には、図４（Ａ）に示す如くカシメベロ部１８が円環状切削溝１９と曲げ変形用円周溝２０を刻設することにより形成されており、該カシメベロ部１８はカメラレンズ鏡筒側に開口する円環状切削溝１９と前記フィルルターレンズ２の円周縁部方向に開口する曲げ変形用円周溝２０の刻設によりフィルターレンズ前縁枠１７の後部よりフィルターレンズ２の光軸Ｃ方向に延びる環状体を有するカシメベロ部１８を形成している。
【０１０２】
また、前記フィルターレンズ前縁枠１７の後部にて嵌着保持されるフィルターレンズ２の後端部には前記カシメベロ部１８の先端部内径側に設けられるカシメ当接部２１が当接するように少なくともフィルターレンズ２の光軸Ｃに対して４５度程度の傾きを有する面取り当接面２２を設けており、該フィルターレンズの面取り当接面２２にカシメベロ部１８のカシメ当接部２１がカシメ加工により当接してフィルターレンズ２を前記フィルターレンズ前縁枠１７とカシメベロ部１８のカシメ当接部２１間で挟持するよう構成されている。
尚、前記カシメベロ部１８は環状のカシメ用金型２３のテーパー部２４とカシメ部２５により加圧変形されるもので、図（Ｂ）に示す如くカシメベロ部１８の当接部２１の先端部をフィルターレンズの面取り当接面２２に当接する物理的なカシメ加工が施される。
【０１０３】
実施例２は、前記フィルターレンズ前縁枠１７の後部にてフィルターレンズ２を嵌着保持し、該嵌着保持されたフィルターレンズ２を後部にて挟持するカシメベロ部１８は前記フィルターレンズ前縁枠１７の後部より外観が円錐台型形状２９を有してフィルターレンズ２の後方へ延びる環状体３０を形成し、該円錐台型形状２９のカシメベロ部１８の先端部内径側には前記フィルターレンズ２の後端部面取り当接面２２に当接してフィルターレンズ２を挟持するためのカシメ当接部２１を設け、該カシメ当接部２１の曲げ変形部位には前記フィルターレンズ２の円周縁部にカシメベロ部１８の内径部が接触しないように前記フィルターレンズ２の円周縁部方向に開口する曲げ変形用円周溝２０を刻設し、該曲げ変形用円周溝２０の底部段面形状が半円形や台形或いはＶ字型の形状を有して前記カシメベロ部１８の加圧変形時にカシメベロ部１８の変形部がフィルターレンズ２の円周縁部やフィルターレンズ面に接触しないよう構成したフィルター枠におけるフィルターレンズの保持機構を提供するものである。
【０１０４】
斯くして、図４（Ａ）、（Ｂ）に示す実施例２のフィルター枠におけるフィルターレンズの保持機構は、カシメ用金型２３によりカシメベロ部１８の先端部をカシメ加工する際に、カシメによる折り曲げ部分が直接フィルターレンズ２の後周縁部等に接触しておらず、カシメ加工時においてはフィルターレンズ前縁枠１７にはカシメ加工のための加圧変形力がかかることがなくなり、フィルターレンズ前縁部１７やフィルターレンズ前縁部１７を形成する後部嵌合枠１７ａの厚さｔ２は、薄い形状でも可能になる。
【０１０５】
従って、フィルター枠本体１の厚さｔは、雌ネジ部８と逃げ溝９の最小機能で構成した前筒枠５の厚さｔ１と雄ネジ部１２と逃げ溝１３の最小機能で構成した後筒枠６の厚ｔ３に従来よりも薄く製作可能なフィルターレンズ保持環部１６の厚さｔ２を加えることになり、全体として、フィルター枠本体１の光軸方向の厚さｔを最小限小さくすることができ、従来のフィルター枠に比較してケラレが発生し難いフィルターレンズの保持機構を提供することが可能になる。
【０１０６】
また、従来のフィルター枠におけるフィルターレンズの保持機構が、カシメ用のカシメベロ部全体を製作するにあたり、円環状切削溝１９を刻設することにより形成されており、該円環状切削溝１９は光軸Ｃ方向に深く切削して形成し、且つ、円環状切削溝にカシメ用金型を挿入して加圧変形加工をするものであり、該円環状切削溝はその円環状切削溝の内径寸法φ２を大きく設定して切削加工する必要があったが、本発明におけるカシメベロ部１８の形状は、カメラレンズ鏡筒側に開口する円環状切削溝１９と前記フィルルターレンズ２の円周縁部方向に開口する曲げ変形用円周溝２０の刻設によりフィルターレンズ前縁枠１７の後部より外観が円錐台形状を有してフィルターレンズ２の光軸Ｃ方向に延びる環状体を有するカシメベロ部１８を形成するものであり、前記円環状切削溝１９の深さを浅く構成でき、該円環状切削溝１９の幅Ｗを小さく形成できるので、前記フィルターレンズ保持環部１６の先端縁部に設けられるフィルターレンズ前縁部１７の内径を大きくすることが可能となり、フィルター口径φが決められたフィルター枠本体１において、そのフィルターレンズの有効径φ３を著しく大きくしてケラレが発生し難いフィルターレンズの保持機構を提供することが可能になる。
【０１０７】
更に、図４（Ａ）、（Ｂ）に示す本発明のフィルター枠におけるフィルターレンズの保持機構は、カシメ用金型２３によりカシメベロ部１８の先端部を折り曲げてカシメ加工する際に、カシメによる折り曲げ部分が前記フィルルターレンズ２の円周縁部方向に開口する曲げ変形用円周溝２０の刻設により空隙部ができ直接フィルターレンズ５２の後周縁部においてコーナー部等に接触していない構成となることから、前記フィルターレンズ２にカシメ加工のための加圧変形力が歪として与えることがなく、フィルターレンズ２の保持精度やフィルターレンズ面の変形をさせることのないフィルターレンズの保持機構を提供できる。
【０１０８】
而して、本発明においては、実施例１、実施例２共にフィルターレンズ本体のフィルター保持機構を構成する前筒枠、後筒枠、アタッチメント装着用の雌ネジ部、カメラレンズ鏡筒への螺着用雄ネジ部、フィルターレンズ保持環部、フィルターレンズ前縁部、カシメベロ部をアルミや真鍮から成る金属製の環状リングを切削加工して一つのフィルター枠として製作し、前記カシメベロ部の加工はカシメ用金型工具によりカシメ加工するフィルター枠におけるフィルターレンズの保持機構を説明した。
【０１０９】
然しながら、本発明はアルミや真鍮等における金属製のフィルター枠のみではなく、フィルターレンズ本体のフィルター保持機構を構成する前筒枠、後筒枠、アタッチメント装着用の雌ネジ部、カメラレンズ鏡筒への螺着用雄ネジ部、フィルターレンズ保持環部、フィルターレンズ前縁部、カシメベロ部を高分子化合物により一つのフィルター枠として成形して製作し、前記カシメベロ部の加工は熱カシメ用金型工具によりカシメ加工するフィルター枠におけるフィルターレンズの保持機構においても何ら問題もなく実施可能である。
【０１１０】
本発明は、フィルター枠の光軸方向の寸法、即ちフィルター枠の厚さを薄型に形成したデジタルカメラ用のフィルター枠を提供し、該フィルター枠は、望遠レンズや広角レンズに装着してもケラレにくいフィルター枠を提供可能にした。
【０１１１】
また、本発明におけるフィルターレンズの保持機構は、フィルター口径φ１の決まったフィルターにおいて、フィルター枠内に内蔵されるフィルターレンズの有効径φ３を最大限大きく取ることの可能なフィルターレンズの保持機構を提供して、望遠レンズや広角レンズの前面に装着してもケラレにくいフィルター枠を提供可能にした。
【０１１２】
更に、本発明におけるフィルターレンズの保持機構は、フィルターレンズをフィルター枠内に内蔵、保持する際の固着時において、当該フィルターレンズには、カシメ用金属金型による物理的な歪や熱カシメ用金型の加熱による熱歪を付加しない状態にてフィルター枠内に各種のフィルターレンズを保持可能なカシメ加工手段を提供可能にし、フィルターレンズの保持精度の向上やフィルターレンズ面に変形を与えないフィルターレンズの保持機構を提供することができる。
【０１１３】
そして、本発明おいては、カメラレンズ鏡筒先端部に装着されるフィルター枠を薄型に製作することができるので、フィルターの重量を軽量化して、オートフォーカス用モーターの負担を軽減することが可能なフィルターを提供することができる。
【０１１４】
また、本発明は、部品数をフィルター本体の部品とフィルターレンズの組み合わせと云ったように極端に軽減することができ、フィルターの製作コストダウンと組立効率の向上をはかることが可能になった。
【符号の説明】
【０１１５】
１  フィルター枠本体
２  フィルターレンズ
３  入射光
４  カメラレンズ鏡筒側
５  前筒枠
６  後筒枠
７  内径部
８  雌ネジ部
９  逃げ溝
１０  ストッパー面
１１  外周部
１２  雄ネジ部
１３  逃げ溝
１４  ストッパー面
１５  中央部内部側
１６  フィルターレンズ保持環部
１７  フィルターレンズ前縁枠
１７ａ  後部嵌合枠
１８  カシメベロ部
１９  円環状切削溝
２０  曲げ変形用円周溝
２１  カシメ当接部
２２  面取り当接面
２３  カシメ用金型
２４  テーパー部
２５  カシメ部
２６  半円形形状の曲げ変形用円周溝底部
２７  台形の形状の曲げ変形用円周溝底部
２８  Ｖ字形形状の曲げ変形用円周溝底部
２９  円錐台型形状
３０  環状体
Ｃ    光軸
ｔ    フィルター枠本体の厚さ
ｔ１  前筒枠の厚さ
ｔ２  フィルターレンズ保持環部の厚さ
ｔ３  後筒枠の厚さ
φ１  フィルター口径
φ２  円環状切削溝の内径
φ３  フィルターレンズの有効径
Ｗ    円環状切削溝の幅
【要約】
【課題】フィルターレンズをフィルター枠内に歪を与えることなく固着できる薄型で有効径の大きいフィルター保持機構を提供する。
【解決手段】フィルターレンズ前縁枠の後部にてフィルターレンズを嵌着保持し、保持されたフィルターレンズをその後部にて挟持するカシメベロ部はフィルターレンズ前縁枠の後部よりＬ字型形状を有してフィルターレンズの光軸方向に延びる環状体を形成し、Ｌ字型形状のカシメベロ部先端部内径側にはフィルターレンズの後端部面取り部に当接してフィルターレンズを挟持するためのカシメ当接部を設けており、カシメ当接部の曲げ変形部位にはフィルターレンズの円周縁部にカシメベロ部の内径部が接触しないように曲げ変形用円周溝を刻設してカシメベロ部の加圧変形時にカシメベロ部の変形部がフィルターレンズの円周縁部やフィルターレンズ面に接触しないよう構成した。
【選択図】図２【図１】
0005431611.tif 000002
【図２】
0005431611.tif 000003
【図３】
0005431611.tif 000004
【図４】
0005431611.tif 000005
【図５】
0005431611.tif 000006
【図６】
0005431611.tif 000007